(57)【要約】【課題】居室の換気に使用される換気装置において、排気ファンが常時運転されているため多大な運転エネルギーを要するという課題があり、住宅性能を加味した自然換気風量値を利用して運転制御できることを目的としている。【解決手段】本体に内蔵されたファンモーターと、居室の室内温度を検知する室内温度検知手段と、外気温度を検知する室外温度検知手段からなる検知部と、居室の気密性能を設定する気密性能設定手段と、前記ファンモーターの運転の切替えと停止を設定する運転切替手段からなる操作部と、前記ファンモーターを制御する制御部を有し、前記制御部は前記検知部と前記気密性能設定手段からの出力値から算出される値によって前記ファンモーターを制御できる。【選択図】図１
2005114277.tif 000002
【特許請求の範囲】
【請求項１】
本体に内蔵されたファンモーターと、居室の室内温度を検知する室内温度検知手段と、外気温度を検知する室外温度検知手段からなる検知部と、居室の気密性能を設定する気密性能設定手段と、前記ファンモーターの運転の切替えと停止を設定する運転切替手段からなる操作部と、前記ファンモーターを制御する制御部を有し、前記制御部は前記検知部と前記気密性能設定手段からの出力値から算出される値によって前記ファンモーターを制御することを特徴とする換気装置。
【請求項２】
本体に内蔵されたファンモーターと、時間計測手段と、居室の室内温度を検知する室内温度検知手段と、居室の気密性能を設定する気密性能設定手段と、前記ファンモーターの運転の切替えと停止を設定する運転切替手段からなる操作部と、前記ファンモーターを制御する制御部を有し、前記制御部は前記時間計測手段と前記室内温度検知手段と前記気密性能設定手段からの出力値を加味される値によって前記ファンモーターを制御することを特徴とする換気装置。
【請求項３】
検知部はファンモーターの熱の影響を受けない場所に設置したことを特徴とする請求項１または２記載の換気装置。
【請求項４】
換気装置の設置高さを設定する設置高さ設定手段を設け、制御部は設置高さ設定手段からの出力値を加味してファンモーターを制御することを特徴とする請求項１乃至３のいずれか記載の換気装置。
【請求項５】
設置される居室規模を設定する居室規模設定手段を設け、制御部は居室規模設定手段からの出力値を加味して前記ファンモーターを制御することを特徴とする請求項１乃至４のいずれか記載の換気装置。
【請求項６】
運転切替手段は停止を設定せず、制御部にて各出力値から算出される値によってファンモーターの運転を停止することを特徴とする請求項１乃至５のいずれか記載の換気装置。
【請求項７】
換気装置にインターネット接続部を設けて、インターネットを介して入力することができる請求項１乃至６のいずれか記載の換気装置。
【請求項８】
換気装置に記憶装置読取部を設けて、記録装置読取部を介して入力することができる請求項１乃至６のいずれかに記載の換気装置。
【請求項９】
換気装置に室内ＬＡＮ接続部を設けて、室内ＬＡＮを介して入力することができる請求項１乃至６のいずれか記載の換気装置。
【請求項１０】
換気装置に集中コントローラー受信部を設けて、集中コントローラー受信部を介して入力することができる請求項１乃至６のいずれか記載の換気装置。
【発明の詳細な説明】
【技術分野】
【０００１】
本発明は、住宅の居室を換気することに用いる換気装置に関する。
【背景技術】
【０００２】
従来、この種の換気装置は、簡素なシステム構成で、施工が容易で、屋内を一年を通じて常時適正に換気することができる常時換気システムが知られている（例えば、特許文献１参照）。
【０００３】
以下、その換気装置について図４を参照しながら説明する。
【０００４】
図４に示すように、屋内外の温度差の変化の大きい屋内ゾーンに設けられた自然換気用の開口部１０１と、屋内の空気を外に強制排気し、自然換気用開口部を通じた屋内への給気を常時維持する排気ファン１０２と、屋内外の温度差の程度を検知して、屋内外の温度差の大きいときには前記自然換気用開口部１０１の開度を小さくし、屋内外の温度差の小さいときにはこの開口部の開度を大きくする開度自動制御手段１０３と、が備えられていることを特徴とする屋内常時換気システムである。
【特許文献１】特開２０００−３５６３８４号公報（第４図）
【発明の開示】
【発明が解決しようとする課題】
【０００５】
このような従来の換気装置では、簡素なシステム構成で、施工が容易で、屋内を一年を通じて常時適正に換気することができるものの、排気ファンが常時運転されているため多大な運転エネルギーがかかるという課題があり、運転エネルギーを低減できる換気装置が要求されている。
【０００６】
本発明は、このような従来の課題を解決するものであり、換気装置が設置される住宅の住宅性能を設定し、住宅性能を加味した自然換気風量値を利用して運転エネルギーを低減できる換気装置を提供することを目的としている。
【課題を解決するための手段】
【０００７】
本発明の換気装置は上記目的を達成するために、本体に内蔵されたファンモーターと、居室の室内温度を検知する室内温度検知手段と、外気温度を検知する室外温度検知手段からなる検知部と、居室の気密性能を設定する気密性能設定手段と、前記ファンモーターの運転の切替えと停止を設定する運転切替手段からなる操作部と、前記ファンモーターを制御する制御部を有し、前記制御部は前記検知部と前記気密性能設定手段からの出力値から算出される値によって前記ファンモーターを制御するものである。
【０００８】
この手段により住宅気密性能を加味した運転制御ができる換気装置が得られる。
【０００９】
また、請求項２の記載の発明は、カレンダー機能を持った時間計測手段を検知部の代わりに設け、前記制御部は前記時間計測手段と前記室内温度検知手段と前記気密性能設定手段からの出力値を加味される値によって前記ファンモーターを制御することにより、室外温度センサーを設けることをしないため、イニシャルコストを削減することができる。
【００１０】
また、請求項３の記載の発明は、室内温度検知手段と室外温度検知手段はファンモーターの熱の影響を受けない場所に設置し、正確な室内温度と外気温度の検知ができることとしたものである。
【００１１】
また、請求項４と５に記載の発明は、検知部の中の設定手段にさらに住宅性能を設定する手段を付加させより正確な値でファンモーターを運転制御できる。
【００１２】
また、請求項６の記載の発明は、運転切替入力手段は停止を設定せず、前記制御部は、各出力値から算出される値によってファンモーターの運転を停止することを特徴としている。この発明により、人が誤って換気運転を停止することを防止できることができる。
【００１３】
また、請求項７から１０記載の発明は、請求項１から６までの操作部を遠距離においても操作部への入力が可能とする換気装置が得られる。
【発明の効果】
【００１４】
本発明によれば住宅に応じた自然換気風量を利用し省エネ性が向上できるという効果のある換気装置を提供できる。
【発明を実施するための最良の形態】
【００１５】
本発明の請求項１記載の発明は、本体に内蔵されたファンモーターと、居室の室内温度を検知する室内温度検知手段と、外気温度を検知する室外温度検知手段からなる検知部と、居室の気密性能を設定する気密性能設定手段と、前記ファンモーターの運転の切替えと停止を設定する運転切替手段からなる操作部と、前記ファンモーターを制御する制御部を有したものである。先ず前記制御部にて、前記室内温度手段からの出力値と前記室外温度手段からの出力値と中性帯からの室内高さ固定値を用いて室内外差圧が算出される。次に前記気密性能設定手段からの出力値と固定の居室規模値を掛け合せ居室の隙間相当面積を算出する。前記室内外差圧と前記居室の隙間相当面積から自然換気風量を導き出す制御テーブルに掲載させ自然換気風量を決定する。そして既定の換気風量から前記自然換気風量を差し引いた風量ノッチで前記ファンモーターを運転するものであり、ファンモーターの運転エネルギーを削減するといった作用を有する。
【００１６】
また、本体に内蔵されたファンモーターと、現在の日付を認知できる時間計測手段と、居室の室内温度を検知する室内温度検知手段と、居室の気密性能を設定する気密性能設定手段と、前記ファンモーターの運転の切替えと停止を設定する運転切替手段からなる操作部と、前記ファンモーターを制御する制御部を有したものであり、前記制御部で前記時間計測手段からの出力値と地域別に外気温度が掲載されている制御テーブルにて現在外気温度を決定する。次にその値と前記室内温度検知手段からの出力値と中性帯からの室内高さ固定値を用いて室内外差圧が算出される。次に前記気密性能設定手段からの出力値と固定の居室規模値を掛け合せ居室の隙間相当面積を算出する。前記室内外差圧と前記居室の隙間相当面積から自然換気風量を導き出す制御テーブルに掲載させ自然換気風量を決定する。そして既定の換気風量から前記自然換気風量を差し引いた風量ノッチで前記ファンモーターを運転するものであり、ファンモーターの運転エネルギーを削減するといった作用を有する。
【００１７】
また、前記室内温度検知手段と前記室外温度検知手段はファンモーターの熱の影響を受けない場所に設置し、正確な室内温度と外気温度の検知が行えることができる。
【００１８】
また、換気装置の設置高さを設定する設置高さ設定手段を設け制御部に出力し、この値と前記室内温度手段からの出力値と前記室外温度手段からの出力値を用いて室内外差圧が算出される。次に前記気密性能設定手段からの出力値と固定の居室規模値を掛け合せ居室の隙間相当面積を算出する。前記室内外差圧と前記居室の隙間相当面積から自然換気風量を導き出す制御テーブルに掲載させ自然換気風量を決定する。そして既定の換気風量から前記自然換気風量を差し引いた風量ノッチで前記ファンモーターを運転するものであり、ファンモーターの運転エネルギーを削減するといった作用を有する。
【００１９】
また、設置される居室規模を設定する居室規模設定手段を設け制御部に出力し、先ず制御部では前記室内温度手段からの出力値と前記室外温度手段から出力値と前記設置高さ設定手段または中性帯からの室内高さ固定値を用いて室内外差圧が算出される。次に前記気密性能設定手段からの出力値と前記居室規設定手段からの出力値を掛け合せ居室の隙間相当面積を算出する。前記室内外差圧と前記居室の隙間相当面積から自然換気風量を導き出す制御テーブルに掲載させ自然換気風量を決定する。そして既定の換気風量から前記自然換気風量を差し引いた風量ノッチで前記ファンモーターを運転するものであり、ファンモーターの運転エネルギーを削減するといった作用を有する。
【００２０】
また、運転切替手段は停止を設定せず、前記制御部は、各出力値から算出される値によってファンモーターの運転を停止することができる。
【００２１】
また、人による設定操作を遠距離より入力できるインターネット接続部が換気装置に設け、設置される現場に出向くことをしなくても住宅性能をインターネットを介して一括して換気装置に設定入力することができる。
【００２２】
また、人による設定操作を遠距離より入力できる記憶装置読取装置が換気装置に設け、設置される現場に出向くことをしなくても予め住宅性能を一括して設定保存しておいた記憶装置を換気装置取付け時に記憶装置読取装置に挿入して換気装置に住宅性能を入力することができる。
【００２３】
また、人による設定操作を遠距離より入力できる室内ＬＡＮ接続部が換気装置に設け、住宅性能をパソコンなど室内ＬＡＮ接続された端末から室内ＬＡＮを介して換気設計者が一括して換気装置に設定入力することができる。
【００２４】
また、人による設定操作を遠距離より入力できる赤外線受信部が換気装置に設け、一括して換気装置に設定入力することができる。
【００２５】
以下、本発明の実施の形態について図面を参照しながら説明する。
【００２６】
（実施の形態１）
図１は本発明の実施の形態１における換気装置の構成を示すブロック図である。図２は本発明の実施の形態１における換気装置の断面図である。図３は本発明の実施の形態１における制御テーブル概要図である。
【００２７】
図１および図２に示すように、本体に内蔵されたファンモーター１と、居室の室内温度を検知する室内温度検知手段２及び外気温度を検知する室外温度検知手段３からなる検知部４と、居室の気密性能を設定する気密性能設定手段５及び本体が設置される設置高さを設定する設置高さ設定手段６及び居室の規模を設定する居室規模設定手段７及び前記ファンモーターの運転を切替えと停止を含む運転切替手段８からなる操作部９と、前記ファンモーターを制御する制御部１０を有し、前記制御部１０は前記検知部４及び前記操作部９からの出力値から算出される値によって前記ファンモーター１の運転制御することとなる。
【００２８】
上記構成において、換気装置の制御動作について説明する。
【００２９】
先ず前記制御部１０にて、前記室内温度手段２から出力された室内温度と前記室外温度手段３から出力された外気温度と前記設置高さ設定手段６から出力された設定高さとから室内外差圧が算出される。次に前記気密性能設定手段５から出力された気密性能値と前記居室規模設定手段７から出力された居室規模値を掛け合せ居室の隙間相当面積を算出する。前記室内外差圧と前記居室の隙間相当面積とから自然換気風量を導き出す制御テーブル図３に掲載させ自然換気風量を決定する。そして既定の換気風量から前記自然換気風量を差し引いた風量ノッチで前記ファンモーター１を運転を行う。
【００３０】
このように住宅気密性能を加味した正確な自然換気風量値が得られ、この値を利用した運転制御ができファンモーターの駆動電力を低減し省エネ化ができるという効果を有する。
【００３１】
また、運転切替手段は停止を設定せず、前記制御部は、各出力値から算出される値によってファンモーターの運転を停止することができる。
【００３２】
また、人による設定操作を遠距離より入力できるインターネット接続部（図示せず）が換気装置に設け、設置される現場に出向くことをしなくても住宅性能をインターネットを介して一括して換気装置に設定入力することができる。
【００３３】
また、人による設定操作を遠距離より入力できる記憶装置読取装置（図示せず）が換気装置に設け、設置される現場に出向くことをしなくても予め住宅性能を一括して設定保存しておいた記憶装置を換気装置取付け時に記憶装置読取装置に挿入して換気装置に住宅性能を入力することができる。
【００３４】
また、人による設定操作を遠距離より入力できる室内ＬＡＮ接続部（図示せず）が換気装置に設け、住宅性能をパソコンなど室内ＬＡＮ接続された端末から室内ＬＡＮを介して換気設計者が一括して換気装置に設定入力することができる。
【００３５】
また、人による設定操作を遠距離より入力できる赤外線受信部（図示せず）が換気装置に設け、一括して換気装置に設定入力することができる。
【００３６】
なお、実施例１では、ファンモーターを１つとしたが、複数のファンモーターを用いてファンモーターにて給排気を行ってもよく、その作用効果に差異を生じない。
【産業上の利用可能性】
【００３７】
本発明の換気装置は、設置される住宅性能を予め換気装置に設定入力することにより、住宅性能を加味した自然換気風量値を利用して運転制御できる、居室を換気する換気装置として有効である。
【図面の簡単な説明】
【００３８】
【図１】本発明の実施の形態１における換気装置の構成を示すブロック図
【図２】同換気装置の断面図
【図３】同制御テーブル概要図
【図４】従来の建物に適用された換気システムを示す建物全体断面図
【符号の説明】
【００３９】
１  ファンモーター
２  室内温度検知手段
３  室外温度検知手段
４  検知部
５  気密性能設定手段
６  設置高さ設定手段
７  居室規模設定手段
８  運転切替手段
９  操作部
１０  制御部
【図１】
2005114277.tif 000003
【図２】
2005114277.tif 000004
【図３】
2005114277.tif 000005
【図４】
2005114277.tif 000006